(57)【要約】【課題】  本発明の課題は、建築物躯体上の防水シートと、雨水排出部材が固定されているドレイン本体との間からの漏水を長期間にわたって防止できるようにし、かつこの防水施工を容易に遂行可能とすることである。【解決手段】  建築物躯体２に設置される防水ルーフドレイン構造を提供する。この構造は、躯体２上に施工されている、樹脂シートあるいはゴムシートからなる防水シート４Ａ、４Ｂ、雨水排出部材７が固定されているドレイン本体１、およびドレイン本体１に固着されている樹脂シートあるいはゴムシートからなる防水層３ａ、３ｂを備えており、防水シートと防水層とが水密に接合されている。【選択図】          図１
2006144377.tif 000002
【特許請求の範囲】
【請求項１】
建築物躯体に設置される防水ルーフドレイン構造であって、
前記躯体上に施工されている、樹脂シートあるいはゴムシートからなる防水シート、
雨水排出部材が固定されているドレイン本体、および
前記ドレイン本体に固着されている樹脂シートあるいはゴムシートからなる防水層を備えており、前記防水シートと前記防水層とが水密に接合されていることを特徴とする、防水ルーフドレイン構造。
【請求項２】
前記防水層と前記防水シートとが同種の材質からなり、前記防水層と前記防水シートとが溶剤溶着あるいは熱溶着されていることを特徴とする、請求項１記載の防水ルーフドレイン構造。
【請求項３】
建築物躯体上に防水ルーフドレイン構造を施工する方法であって、
樹脂シートあるいはゴムシートからなる防水シートを前記躯体上に施工し、樹脂シートまたはゴムシートからなる防水層が固着されているドレイン本体に雨水排出部材を固定し、前記防水シートと前記防水層とを水密に接合することを特徴とする、防水ルーフドレイン構造の施工方法。
【請求項４】
前記防水層と前記防水シートとが同種の材質からなり、前記防水層と前記防水シートとを溶剤溶着あるいは熱溶着することを特徴とする、請求項３記載の施工方法。
【発明の詳細な説明】
【技術分野】
【０００１】
本発明は、防水ルーフドレイン構造およびその施工方法に関するものである。
【背景技術】
【０００２】
建造物の屋上やベランダ等にルーフドレインを施工し、ルーフドレインで雨水を集め、雨樋へと流すことが行われている。ルーフドレインは通常、鉄、アルミニウム、アルマイト、ステンレスなどによって形成されている。また金属製ドレインには防錆塗装が施されていることが多い。このようなルーフドレインにおいて防水性能を得るためには、建造物の躯体屋根上に防水シートを施工し、防水シートをルーフドレインに対して水密に固定する。ルーフドレインと防水層との施工については、例えば特許文献１、２がある。
【特許文献１】特開２００２−５４２７４号公報
【特許文献２】特開２００２−１３２５５号公報
【０００３】
図３に従来の施工方法を例示する。建築物躯体２に樹脂やゴム製の防水シート４Ａ、４Ｂを敷設する。一方、雨水排出部材７の先端をルーフドレイン１０の固定部８内に固定する。ルーフドレイン１０には接続部１ａおよび１ｂが設けられている。接続部１ａ、１ｂ上にそれぞれ防水シート４Ａ、４Ｂが敷設されている。ここで躯体上に降った雨水を雨水排出部材７へと流し、躯体内への水漏れを防止する必要がある。そこで、接続部１ａ、１ｂと防水シート４Ａ、４Ｂとの間にコーキング材１４を塗布、施工し、また各防水シート４Ａ、４Ｂ上にシート押さえ部材５を設置する。そして、ビス１１を押さえ部材５、防水シート４Ａ、４Ｂ、ルーフドレイン１ａ、１ｂに挿通し、加圧することによって、防水シートをルーフドレイン上に機械的に固定し、かつ防水シートとルーフドレインとの間の水密性を確保している。
【発明の開示】
【発明が解決しようとする課題】
【０００４】
しかし、図３のような構造でも、防水シート４Ａ、４Ｂとドレインの接続部１ａ、１ｂとの間からの漏水が生ずることがあった。本発明者がこの理由を検討したところ、ドレイン本体の接続部１ａ、１ｂと防水シートとの間、防水シートと押さえ部材５との間に塗布されるコーキング剤１４の塗膜に厚さの不十分な箇所があり、使用時に塗膜の防水性能低下や切れが生じ、漏水が生ずることがわかった。また、コーキング剤が均一に塗布されている場合でも、長期間使用時には、コーキング剤の劣化によって漏水が生ずることがある。更に、機械的なネジ込みの不足があったり、あるいは長期使用時にはネジ込み力が低下してくるために、漏水が発生する場合があった。
【０００５】
本発明の課題は、建築物躯体上の防水シートと、雨水排出部材が固定されているドレイン本体との間からの漏水を安定して防止できるようにすることである。
【課題を解決するための手段】
【０００６】
本発明は、建築物躯体に設置される防水ルーフドレイン構造であって、
躯体上に施工されている、樹脂シートあるいはゴムシートからなる防水シート、
雨水排出部材が固定されているドレイン本体、および
ドレイン本体の表面に固着されている樹脂シートあるいはゴムシートからなる防水層を備えており、防水シートと防水層とが水密に接合されていることを特徴とする。
【０００７】
また、本発明は、建築物躯体上に防水ルーフドレイン構造を施工する方法であって、
樹脂シートあるいはゴムシートからなる防水シートを前記躯体上に施工し、表面に樹脂シートまたはゴムシートからなる防水層が固着されているドレイン本体に雨水排出部材を固定し、防水シートと防水層とを水密に接合することを特徴とする。
【発明の効果】
【０００８】
本発明者は、例えば図３に示したような、コーキング剤とネジ込みによる応力を利用した防水施工方法では、前述したような問題点を解消できないと考えた。これはコーキング剤の塗布には技能と時間とを必要とするため、コスト面から施工の不完全を避けにくいこと、コーキング剤の耐久性に限界があること、また機械的なネジ込み力も経時劣化することからである。
【０００９】
本発明者は、このような知見に基づき、コーキング剤やネジによる機械的締結を使用しない防水施工を検討した。この結果、ドレイン本体の表面に樹脂シートあるいはゴムシートからなる防水層を固着させ、この防水層を施工時に防水シートに水密に接合することを想到した。このような水密接合は、従来のコーキング剤およびネジ込みを使用する施工方法よりも均一で完全な施工を行い易く、接合箇所の耐久性が高い。
【発明を実施するための最良の形態】
【００１０】
図１は、本発明に係る防水ルーフドレイン構造を示す断面図であり、図２はルーフドレイン９を示す部分断面図である。ルーフドレイン９は、ルーフドレイン本体１を備えており、本体１は、雨水排出部材７が固定される固定部１ｃ、防水シート４Ａ側に取り付けられる接続部１ａおよび防水シート４Ｂ側に取り付けられる接続部１ｂを備えている。接続部１ａ、１ｂ上は、それぞれ防水層３ａ、３ｂによって被覆されている。建築物躯体２に樹脂やゴム製の防水シート４Ａ、４Ｂを敷設する。躯体２の間に雨水排出部材７を固定し、この部材７の先端を本体固定部１ｃ内に固定する。
【００１１】
防水層３ａ、３ｂ上に、それぞれ、躯体に敷設された防水シート４Ａ、４Ｂを設置し、両者を接合手段によって水密に接合する。本例では、各防水シート４Ａ、４Ｂ上（および接続部１ａ、１ｂ）上に防水層押さえ部材５を設置し、この上にストレーナー６を設置し、防水層押さえ部材を加圧し、固定する。躯体２上に降った雨水は、防水シート４Ａ、４Ｂ上を流れ、防水シートとドレイン本体１との接続部分を通って雨水排出部材７内に入る。
【００１２】
ここで、本発明によれば、ドレイン本体１の表面に樹脂シートあるいはゴムシートからなる防水層３ａ、３ｂを固着させ、この防水層を施工時に防水シート４Ａ、４Ｂに１３に示すように水密に接合する。このような水密接合は、従来のコーキング剤およびネジ込みを使用する施工方法よりも均一で完全な施工を行い易く、また接合箇所の耐久性が高い。
【００１３】
防水シートの材質は特に限定されないが、以下を例示できる。
加硫ゴム（例えばＥＰＤＭ系ゴム）、未加硫ゴム（例えばブチル系ゴム）、ポリ塩化ビニル樹脂、ポリウレタン樹脂、オレフィン系樹脂
【００１４】
ドレイン本体を構成する材料は、ドレインとしての機能を果たす限り特に限定されず、金属であっても、樹脂等の非金属であってもよい。例えば、鉄、アルミニウム、アルマイト、ステンレスなどがある。
【００１５】
ドレイン本体１上にゴムシート、樹脂シートを固着させて防水層を形成する手段は特に限定されない。ゴムシート、樹脂シートに粘着性がある場合には、ゴムシート、樹脂シートをドレイン本体の表面に粘着させて固着させることができる。しかし、好ましくは、ゴムシート、樹脂シートをドレイン本体１の表面の所定箇所に接着剤で接着する。
【００１６】
防水層を構成するゴムまたは樹脂材質は特に限定されないが、以下を例示できる。
加硫ゴム（例えばＥＰＤＭ系ゴム）、未加硫ゴム（例えばブチル系ゴム）、ポリ塩化ビニル樹脂、ポリウレタン樹脂、オレフィン系樹脂
【００１７】
好適な実施形態においては、防水層を構成する材質が、防水シートを構成する材質と同種である。これによって防水構造の耐久性が一層向上する。ここで材質が同種であるとは、ゴムあるいは樹脂の主成分が同じであることを意味しており、各種添加剤（例えば加硫剤、加硫促進剤、老化防止材、着色剤、充填剤等）の異同や添加割合は問わない。
【００１８】
防水シートと防水層とを水密に接合する手段１３は限定されないが、止水性能および施工しやすさの点から、溶剤溶着、熱溶着が特に好ましい。防水層を構成する材質が、防水シートを構成する材質と同種である場合には、溶剤溶着、熱溶着によって、防水シートと防水シートとの接合部分の水密性が非常に高くなる。これは、溶剤溶着、熱溶着の場合には、溶剤または熱によって防水シート、防水層を一部溶融させる必要があり、このときに防水層と防水シートとの溶融を同程度に進行させることができるからである。防水層と防水シートとが異種材質である場合には、同じ溶剤あるいは同一温度では、一方が溶融したときに他方が溶融しにくく、このために両者が水密に溶着しにくい。
【００１９】
図１、図２の実施例では、横引きドレイン本体に防水層を固着させている、本発明は縦引きトレインにも適用できる。
また、ドレイン本体のうち、雨水排出部材（例えば樋）と取り合う部分は、ネジ加工をしているため、ネジ部をマスキングテープなどの被覆材を被覆し、防水層を固着させないようにできる。
【００２０】
また、図１、図２の例においては防水層押さえ５、ストレイナー６を設けてあるが、これらは省略することも可能である。
【図面の簡単な説明】
【００２１】
【図１】本発明の一実施形態に係る防水ルーフドレイン構造を示す断面図である。
【図２】図１の構造に使用するルーフドレイン９を示す部分断面図である。
【図３】従来の防水ルーフドレイン構造を示す断面図である。
【符号の説明】
【００２２】
１  ルーフドレイン本体                １ａ、１ｂ  接続部            ３ａ、３ｂ  防水層            ４Ａ、４Ｂ  防水シート            ５  防水シート押さえ部材            ６  ストレイナー            ７  雨水排出部材            ９  ルーフドレイン            １３  接合手段        １４  コーキング
【図１】
2006144377.tif 000003
【図２】
2006144377.tif 000004
【図３】
2006144377.tif 000005